(57)【要約】【課題】パネル体の支持力を低下させることなくパネル体を支持することができるサッシ枠を提供する。【解決手段】四方を枠組みした枠体２に対して複層ガラス３が納められたサッシ枠１０であって、複層ガラス３の周縁部３ａを支持する弾性体４（バックアップ材４１）を保持する係止突部２３を有し、係止突部２３は、複層ガラス３におけるガラス面内方向の内側全体が平滑面で形成された平滑面２３ａを有し、外側に凸部２３ｂが形成されている。【選択図】図１
2019173431.tif 000002
【特許請求の範囲】
【請求項１】
四方を枠組みした枠体に対してパネル体が納められたサッシ枠であって、
前記パネル体の周縁部を支持する弾性体を保持する保持部を有し、
前記保持部は、前記パネル体におけるパネル面内方向の内側全体が平滑面で形成され、外側に少なくとも凸部が形成されていることを特徴とするサッシ枠。
【請求項２】
前記保持部は、前記枠体を構成する４辺のそれぞれに設けられている請求項１に記載のサッシ枠。
【発明の詳細な説明】
【技術分野】
【０００１】
本発明は、サッシ枠に関する。
【背景技術】
【０００２】
従来、カーテンウォール等の四方を枠組みした枠体に対してパネル体が納められたサッシ枠では、例えば特許文献１に示されるような、ガラスの周縁部を支持する弾性体を保持する保持部を有するものが知られている。
【０００３】
このようなサッシ枠では、ガラスを押さえて支持する弾性体として、ガラスの仕様や施工条件に対応させて、ビードとバックアップ材を適宜選択して施工している。そして、ビードに対応する保持部としては、先端両側が拡大した抜け防止用の係合凸部が形成された突起形状のものが使用され、ビードの嵌合凹部に嵌合させることで保持している。
【先行技術文献】
【特許文献】
【０００４】
【特許文献１】特開２０１７−５７７１７号公報
【発明の概要】
【発明が解決しようとする課題】
【０００５】
従来のサッシ枠では、仕上げによってガラスを支持する弾性体として例えばビードとバックアップ材のどちらを使用するか施工現場で決めるケースがある。そして、ビードとバックアップ材は、それぞれ別個の保持部が使用されていることが一般的である。ところが、別々の弾性体を使用する場合には、それぞれに対応した施工となり、施工費が増大するため、ビードに対応した突起形状の保持部をバックアップ材にも代替することが行われている。
【０００６】
しかしながら、従来のサッシ枠では、ビードに対応した突起形状の保持部をバックアップ材に代替する場合において、バックアップ材の端面に保持部を係止させることで保持している。ところが、突起形状の保持部の先端に係合凸部がバックアップ材側に突出して形成されているため、部分的な接触により不安定な保持状態になる。
【０００７】
本発明は、上述する問題点に鑑みてなされたもので、パネル体の支持力を低下させることなくパネル体を支持することができるサッシ枠を提供することを目的とする。
【課題を解決するための手段】
【０００８】
上記目的を達成するため、本発明に係るサッシ枠は、四方を枠組みした枠体に対してパネル体が納められたサッシ枠であって、前記パネル体の周縁部を支持する弾性体を保持する保持部を有し、前記保持部は、前記パネル体におけるパネル面内方向の内側全体が平滑面で形成され、外側に少なくとも凸部が形成されていることを特徴としている。
【０００９】
本発明のサッシ枠によれば、弾性体がビードの場合には、ビードの嵌合凹部に保持部を嵌合させることでビードを保持することができる。また、弾性体がバックアップ材の場合には、保持部の平滑面の全面にわたってバックアップ材の端面に接触させた状態で、安定した保持状態で保持することができる。しかも保持部に平滑面を形成することでバックアップ材の厚みを薄くする必要がなく、バックアップ材によるパネル体を押さえる支持力の低下を防止できるうえ、弾性体に接触させて設けられるシール材の深さも低下させることなく設けることができる。
【００１０】
また、弾性体がビードの場合には、保持部の片側を平滑面としているので、スライドや押し込みにより保持部に対してビードが嵌合し易くなるため、取り付け作業が容易になる。
【００１１】
また、本発明に係るサッシ枠は、前記保持部は、前記枠体を構成する４辺のそれぞれに設けられている構成としてもよい。
【００１２】
この場合には、枠体を構成する縦横の４辺に保持部を適用できるので、各辺によってパネル体を確実に支持することができる。
【発明の効果】
【００１３】
本発明のサッシ枠によれば、パネル体の支持力を低下させることなく、パネル体を支持することができる。
【図面の簡単な説明】
【００１４】
【図１】本発明の実施形態によるサッシ枠の縦断面図であって、第１支持構造の構成を示す図である。
【図２】図１に示すサッシ枠の横断面図であって、第１支持構造の構成を示す図である。
【図３】図１の要部拡大図であって、弾性体と係止突部の構成を示す縦断面図である。
【図４】サッシ枠の縦断面図であって、第２支持構造の構成を示す図である。
【図５】図４に示すサッシ枠の横断面図であって、第２支持構造の構成を示す図である。
【発明を実施するための形態】
【００１５】
以下、本発明の一実施形態によるサッシ枠の一例について、図面に基づいて説明する。
【００１６】
（第１実施形態）
図１及び図２に示す本実施形態によるサッシ枠１０は、建物のカーテンウォール１に設けられている。カーテンウォール１は、四方を複数の縦枠２Ａ及横枠２Ｂによって格子状に枠組みして構成された枠体２と、枠体２の開口部に収められた複層ガラス３（パネル体）と、を備えている。本実施形態のサッシ枠１０は、複層ガラス３の四辺の周縁部３ａを支持する縦枠２Ａ、横枠２Ｂに適用されている。
【００１７】
以下の説明において、屋外側と屋内側とを結ぶ方向を屋内外方向Ｘ１とし、建築物の開口部が躯体を貫通する方向から見た際の左側と右側を結ぶ水平方向を左右方向Ｘ２とする。また、カーテンウォール１を構成する各部材や部品などは、前記開口部に設けられている姿勢であるものとして、その姿勢における屋内外方向Ｘ１および左右方向Ｘ２を用いて説明する。
【００１８】
縦枠２Ａは、建物の上下方向Ｘ３に沿って設けられ、建物の柱、梁、床等の躯体に対して、図示しないアングル部材等を用いて固定される。
横枠２Ｂは、隣り合う縦枠２Ａ、２Ａ間に架け渡され、縦枠２Ａに対して固定される。
縦枠２Ａ及び横枠２Ｂは、屋内面に、例えば、集成材等の木製材料からなる枠カバー（図示省略）が取り付けられる。
【００１９】
枠体２は、枠本体２１と、枠本体２１の屋外側に配置されるガラス取付部２２（パネル取付部）と、を有している。枠本体２１とガラス取付部２２は、例えば、アルミニウム等の金属材料から構成され、金属材料を押出成形等により形成することで得られる。枠本体２１は、建物の躯体に対して取り付け可能となっている。
【００２０】
ガラス取付部２２には、上述したように複層ガラス３が取り付けられる。ガラス取付部２２は、図２に示す縦枠２Ａにおいて左右方向Ｘ２の一方に凹んだ凹溝部２２ａを有し、この凹溝部２２ａ内で弾性体４を介して複層ガラス３の左右方向Ｘ２の周縁部３ａを保持している。また、ガラス取付部２２は、図１に示す横枠２Ｂにおいて上下方向Ｘ３の一方に凹んだ凹溝部２２ａを有し、この凹溝部２２ａ内で弾性体４を介して複層ガラス３の上下方向Ｘ３の周縁部３ａを保持している。
【００２１】
ガラス取付部２２は、凹溝部２２ａを構成し、屋内外方向Ｘ１に対向する内板部２２１と外板部２２２とが設けられている。内板部２２１及び外板部２２２は、それぞれ複層ガラス３の周縁部３ａに重なって配置され、面方向を屋内外方向Ｘ１に直交する方向に向けるとともに、縦枠２Ａにおいて上下方向Ｘ３に延在し、横枠２Ｂにおいて左右方向Ｘ２に延在している。内板部２２１は複層ガラス３を挟んで屋内側に配置され、外板部２２２は屋外側に配置されている。
【００２２】
内板部２２１の屋外側の外面２２１ａには、図３に示すように、屋外側に向けて突出し、複層ガラス３の周縁部３ａを支持する弾性体４を保持する係止突部２３（保持部）が設けられている。係止突部２３は、枠体２（縦枠２Ａ、横枠２Ｂ）の延在方向に沿って延びている。係止突部２３は、複層ガラス３におけるガラス面内方向（パネル面内方向）の内側全体が平滑面２３ａで形成され、突出先端にはガラス面内方向の外側に向けて突出する凸部２３ｂが形成されている。
本実施形態では、係止突部２３の突出長が弾性体４の幅寸法Ｄ１（屋内外方向Ｘ１の長さ寸法）の半分以下に設定されている。
【００２３】
複層ガラス３は、ガラス取付部２２の凹溝部２２ａ内にその周縁部３ａが配置される。複層ガラス３は、周縁部３ａにおいて構造シーラント３１とデシカント３２とによって２枚のガラスが接着された構造となっている。
【００２４】
複層ガラス３の支持構造は、弾性体４として図１及び図２に示すバックアップ材４１を採用した第１支持構造３Ａと、図４及び図５に示すビード４３を採用した第２支持構造３Ｂとがある。バックアップ材４１及びビード４３のいずれの場合も上述した係止突部２３によって保持されている。
【００２５】
図１及び図２に示すように、第１支持構造３Ａは、複層ガラス３の両面側に弾性体４のバックアップ材４１が配置され、さらに複層ガラス３の面内方向でバックアップ材４１の内側に接した状態でシール材４２が設けられている。すなわち、複層ガラス３は、ガラス取付部２２内でバックアップ材４１によって屋内外両側から挟まれた状態で保持されている。
【００２６】
バックアップ材４１は、ガラス面内方向でシール材４２とは反対側の外面４１ａにおいて、枠本体２１に形成される係止突部２３の平滑面２３ａが当接した状態で係止され、これにより枠体２に保持されている。
バックアップ材４１は、例えば発泡性ポリエチレンフォーム等の弾性体からなり、凹溝部２２ａの内板部２２１の屋外側の外面２２１ａに対して密着した状態で設けられている。
【００２７】
図４及び図５に示すように、第２支持構造３Ｂは、複層ガラス３の屋内面側に弾性体４のビード４３が配置され、さらに複層ガラス３の面内方向でビード４３の内側に接した状態でシール材４２が設けられている。複層ガラス３の屋外面側には、押縁３３が取り付けられている。このように複層ガラス３は、ガラス取付部２２内で押縁３３とビード４３によって屋内外両側から挟まれた状態で保持されている。
【００２８】
ビード４３は、発泡性シリコンゴム等の弾性体からなり、枠本体２１に形成される係止突部２３を嵌合可能な嵌合凹部４３ａを有している。ビード４３は、嵌合凹部４３ａの開口側を屋内方向に向けて配置され、その嵌合凹部４３ａに係止突部２３が嵌合された状態で、凹溝部２２ａの内板部２２１の屋外側の外面２２１ａに対して接着等により固定されている。
【００２９】
嵌合凹部４３ａは、奥部には断面視でガラス面内方向の内側と外側のそれぞれに拡大部が設けられている。嵌合凹部４３ａには、係止突部２３が嵌合した状態で係止され、これにより枠体２に保持されている。係止突部２３の凸部２３ｂは、嵌合凹部４３ａの外側に位置する拡大部に嵌合している。
【００３０】
次に、本実施形態によるサッシ枠１０の作用について説明する。
本実施形態では、図１乃至図５に示すように、弾性体４がビード４３の場合には、ビード４３の嵌合凹部４３ａに係止突部２３を嵌合させることでビード４３を保持することができる。また、弾性体４がバックアップ材４１の場合には、係止突部２３の平滑面２３ａの全面にわたってバックアップ材４１の端面（外面４１ａ）に接触させた状態で、安定した保持状態で保持することができる。
【００３１】
しかも、本実施形態では、係止突部２３に平滑面２３ａを形成することでバックアップ材４１の厚み（ガラス面内方向の長さ寸法）を薄くする必要がなく、バックアップ材４１による複層ガラス３を押さえる支持力の低下を防止できるうえ、弾性体４に接触させて設けられるシール材４２の深さも低下させることなく設けることができる。バックアップ材４１の厚さとしては、例えば、従来のようにガラス面内方向の内外に凸となる突部が形成された保持部の場合に比べて略１ｍｍ程度、厚くすることができる。
【００３２】
このように、本実施形態では、弾性体４がビード４３であっても、あるいはバックアップ材４１であっても、同一の係止突部２３を使用して確実に保持することができる。つまり、弾性体４の種類に関わらず弾性体４に対して係止突部２３を兼用することが可能となるので、例えば現場で複層ガラス３を施工した後に弾性体４を選択したり、変更する場合であっても、係止突部２３を変更する必要がなく、施工にかかる手間や費用の増大を抑えることができる。
【００３３】
また、本実施形態では、弾性体４がビード４３の場合において、係止突部２３の片側を平滑面２３ａとしているので、スライドや押し込みにより係止突部２３に対してビード４３が嵌合し易くなるため、取り付け作業が容易になる。
【００３４】
また、本実施形態では、枠体２を構成する縦枠２Ａ、横枠２Ｂの４辺に係止突部２３を適用できるので、各辺によって複層ガラス３を確実に支持することができる。
【００３５】
このように本実施形態のサッシ枠１０によれば、複層ガラス３の保持力を低下させることなく、複層ガラス３を支持する弾性体４の種類（バックアップ材４１やビード４３）に関わらず兼用して使用することができる。
【００３６】
さらに、本実施形態では、係止突部２３の一方の面を平滑面２３ａとしたことで、凸部分の高さだけシール材４２をより複層ガラス３の外周側に位置させることができる。結果として、屋内側から見たサッシの開口面積（＝採光面積）を広く確保することができる（枠、框の高さを小さくすることができる）。
【００３７】
以上、本発明によるサッシ枠の実施形態について説明したが、本発明は上記の実施形態に限定されるものではなく、その趣旨を逸脱しない範囲で適宜変更可能である。
【００３８】
例えば、本実施形態では、パネル体として複層ガラス３を採用しているが、これに限定されることはなく、弾性体に支持される単層ガラス板であってもよい。たま、枠体２に固定されたガラス（パネル体）であることに限定されることはなく、可動障子のガラスを支持するサッシ枠であってもかまわない。
【００３９】
また、本実施形態では、係止突部２３（保持部）が枠体２を構成する４辺のそれぞれに設けられているが、４辺すべてを対象としなくてもよく、少なくとも１辺に設けられていればよい。また、弾性体４及び係止突部２３が複層ガラス３の周縁部３ａの全周に設けられていることに限定されず、例えば１辺のうち部分的に設けられていてもかまわない。
【００４０】
さらに、本実施形態では、複層ガラス３の支持構造として第１支持構造３Ａ（バックアップ材４１による支持構造）と第２支持構造３Ｂ（ビード４３による支持構造）を備えたカーテンウォール１を対象としているが、いずれか一方の支持構造のみが設けられた構成であってもかまわない。
【００４１】
その他、本発明の趣旨を逸脱しない範囲で、上記した実施形態における構成要素を周知の構成要素に置き換えることは適宜可能である。
【符号の説明】
【００４２】
１  カーテンウォール
２  枠体
２Ａ  縦枠
２Ｂ  横枠
３  複層ガラス（パネル体）
３Ａ  第１支持構造
３Ｂ  第２支持構造
４  弾性体
１０  サッシ枠
２１  枠本体
２２  ガラス取付部（パネル取付部）
２２ａ  凹溝部
２３  係止突部（保持部）
２３ａ  平滑面
２３ｂ  凸部
４１  バックアップ材（弾性体）
４２  シール材
４３  ビード（弾性体）
４３ａ  嵌合凹部
２２１  内板部
２２２  外板部
Ｘ１  屋内外方向
Ｘ２  左右方向
Ｘ３  上下方向
【図１】
2019173431.tif 000003
【図２】
2019173431.tif 000004
【図３】
2019173431.tif 000005
【図４】
2019173431.tif 000006
【図５】
2019173431.tif 000007